(57)【特許請求の範囲】
【請求項１】
サッシ上枠外周側の左右端部位置に各々係脱自在に取り付ける上枠用治具と、サッシ下枠外周側の左右端部位置に各々係脱自在に取り付ける下枠用治具とを備え、上枠用治具は、前後方向から操作自在なレバーハンドルの操作によりサッシ上枠外周側に係脱自在なベース部材と、前後方向から操作自在な螺子の操作によりベース部材に対して前後方向に移動自在に設けた前後方向移動部材と、前後方向から操作自在な螺子の操作により左右方向に伸縮自在なジャッキ部材で前後方向移動部材に対して連結してあり且つ躯体開口部側縁部に当接自在な左右方向移動部材とから成っており、下枠用治具は、前後方向から操作自在なレバーハンドルの操作によりサッシ下枠外周側に係脱自在なベース部材と、前後方向から操作自在な螺子の操作によりベース部材に対して前後方向に移動自在に設けた前後方向移動部材と、前後方向から操作自在な螺子の操作により上下方向に伸縮自在なジャッキ部材で前後方向移動部材に対して連結してある上下方向移動部材と、上下方向移動部材の下面に、躯体開口部下縁部との当接角度を変更自在に設けた当接部材と、前後方向から操作自在な螺子の操作により左右方向に伸縮自在なジャッキ部材で上下方向移動部材に対して連結してあり且つ躯体開口部側縁部に当接自在な左右方向移動部材とから成っており、当接部材の躯体開口部下縁部との当接角度の変更により躯体開口部下縁部の傾斜を吸収してサッシ枠を鉛直に立設でき、且つ前後方向からの螺子の操作によりサッシ枠の躯体開口部に対する取付位置を前後左右及び上下に調整できると共に、躯体開口部に固定したサッシ枠から上枠用治具及び下枠用治具を前後方向からのレバーハンドルの操作により取り外し自在としてあることを特徴とするサッシ枠取付位置調整装置。
【発明の詳細な説明】
【０００１】
【発明の属する技術分野】
本発明は、サッシ枠を躯体開口部に取り付ける際に使用するサッシ枠取付位置調整装置に関するものである。
【０００２】
【従来の技術】
従来、躯体開口部にサッシを取り付けるには、楔を使用してサッシ枠を躯体開口部内に仮固定し、サッシ枠の位置や倒れを、躯体開口部のマーキングや水準器などで確認しながら楔の打ち込み量を微妙に調整することによりサッシ枠の位置決めを行い、その後、躯体開口部に突出して設けたアンカー用差金とサッシ枠に取り付けた金具を溶接等により連結してサッシ枠を固定し、最後に躯体開口部とサッシ枠の間の隙間にモルタルを詰め込んでサッシ枠を取り付けるようにしていた。
【０００３】
上記のように、楔の出入りを調整して正確にサッシ枠の位置決めを行うのは容易ではなく、熟練した者が時間を掛けて慎重に行わねばならず、工期短縮や施工品質の統一化を図る上で支障があった。そこで、これまでにもサッシ枠の位置決めを簡単に行えるようにするための装置が幾つか提案されているが、それらには一長一短があって、使い勝手の良い適当なものが無かった。例えば実公平４−２７９８９号公報に開示されたものは、上下、左右及び前後方向の螺子式の移動機構を有し、螺子を回すことで三次元の位置決めを行うことができたが、躯体開口部下縁部が傾斜していると、サッシ枠を鉛直に立たせることが不可能であった。またこの装置は、螺子によってサッシ枠を上下から挟持するようになっていてサッシ枠との着脱が簡便ではなく、さらに位置調整用の３本の螺子が各々違う方向を向いているために調整がしづらかった。
【０００４】
また特開平７−２１７３２１号公報に開示されたものは、図１０に示すように、サッシ枠の支持台９０がパンタグラフ式のねじジャッキ機構９１により上下動し、さらに支持台９０と底盤台９２を繋ぐ副軸調整ボルト９３及びナット９４の作用により、支持台９０を躯体開口部下縁部に載置した底盤台９２に対して傾斜させることができるものとなっている。しかし、この構造によって躯体開口部下縁部９５の傾斜を吸収するには、支持台９０の角度を傾斜に合わせてその都度調整しなければならず、その調整はねじを用いた二つの機構の操作の兼ね合いによるから容易ではない。またこの装置は、サッシ枠の高さ調整しかできない。
【０００５】
また、特開平８−４２２５２号公報には、弾性保持された長尺状の移動体を備えた装置をサッシ枠に取り付け、移動体の先端を躯体開口部内周面に当接させた上でサッシ枠の位置決めを行う技術が開示されている。この装置は、サッシ枠を躯体開口部内に弾性保持させてサッシ枠の位置決めを容易にするだけで、サッシ枠にはこの装置とは別にジャッキ等を設けなければならない。また躯体開口部内周面には、移動体先端部の動きを規制するための係合部を設けなければないこともあり、全体として見れば能率の向上やコスト削減といった効果はそれほど大きくはなかった。
【０００６】
【発明が解決しようとする課題】
本発明は以上に述べたような実情に鑑み、必要な調整機構を無駄無く備え、且つ操作性に優れたサッシ枠取付位置調整装置を提供することを目的とする。
【０００７】
【課題を解決するための手段】
上記の課題を達成するため、本発明によるサッシ枠取付位置調整装置は、サッシ上枠外周側の左右端部位置に各々係脱自在に取り付ける上枠用治具と、サッシ下枠外周側の左右端部位置に各々係脱自在に取り付ける下枠用治具とを備え、上枠用治具は、前後方向から操作自在なレバーハンドルの操作によりサッシ上枠外周側に係脱自在なベース部材と、前後方向から操作自在な螺子の操作によりベース部材に対して前後方向に移動自在に設けた前後方向移動部材と、前後方向から操作自在な螺子の操作により左右方向に伸縮自在なジャッキ部材で前後方向移動部材に対して連結してあり且つ躯体開口部側縁部に当接自在な左右方向移動部材とから成っており、下枠用治具は、前後方向から操作自在なレバーハンドルの操作によりサッシ下枠外周側に係脱自在なベース部材と、前後方向から操作自在な螺子の操作によりベース部材に対して前後方向に移動自在に設けた前後方向移動部材と、前後方向から操作自在な螺子の操作により上下方向に伸縮自在なジャッキ部材で前後方向移動部材に対して連結してある上下方向移動部材と、上下方向移動部材の下面に、躯体開口部下縁部との当接角度を変更自在に設けた当接部材と、前後方向から操作自在な螺子の操作により左右方向に伸縮自在なジャッキ部材で上下方向移動部材に対して連結してあり且つ躯体開口部側縁部に当接自在な左右方向移動部材とから成っており、当接部材の躯体開口部下縁部との当接角度の変更により躯体開口部下縁部の傾斜を吸収してサッシ枠を鉛直に立設でき、且つ前後方向からの螺子の操作によりサッシ枠の躯体開口部に対する取付位置を前後左右及び上下に調整できると共に、躯体開口部に固定したサッシ枠から上枠用治具及び下枠用治具を前後方向からのレバーハンドルの操作により取り外し自在としてあることを特徴とする。
【０００８】
【発明の実施の形態】
以下、本発明の実施の形態を図面に基づいて説明する。本発明のサッシ枠取付位置調整装置は、図９に示すように、サッシ上枠１外周側の左右端部位置に取り付ける上枠用治具２と、サッシ下枠３外周側の左右端部位置に取り付ける下枠用治具４を備える。
【０００９】
まず、下枠用治具４の構造を図１から図５に即して説明する。図にはサッシ下枠の右側端部に取り付けるものを示しており、左側端部に取り付けるものは、これと左右勝手違いである。下枠用治具４の上部にはサッシ下枠３の外周側に係脱自在なベース部材１４を備えている。ベース部材の上面後方には、サッシ下枠の室外側に形成された鉤状部２５に係止する鉤形のストッパー２６を有し、さらにベース部材の上面には、垂直方向のピン２７に軸支されて回動自在となったレバーハンドル１３を有する。レバーハンドルは、金属の板を折り曲げて形成した略Ｌ字形の部材で、一端部にはサッシ下枠の室内側に形成された鉤状部２８に係止する爪部２９が形成され、他端部が前方に向けて突出する操作部３０となっている。レバーハンドル１３を回動操作すれば、爪部２９の先端が前後方向に移動するから、ベース部材１４はサッシ下枠３にワンタッチで簡単に着脱できる。またこの構造によれば、室内外方向の幅の異なる多種類のサッシ枠にも対応できる。
【００１０】
図４に示すように、ベース部材１４の下面側には前後方向のガイド溝３１が切ってあって、その溝に案内して前後方向移動部材１６を設けてある。前後方向移動部材１６には前後調整螺子１５が前後方向に貫通しており、前後調整螺子の頭部は、ベース部材１４の前側に設けた螺子保持部３２に保持させてある。したがって前後調整螺子１５を回すと、前後方向移動部材１６がベース部材１４に対して前後にスライドする。
【００１１】
前後方向移動部材１６は、上下方向に伸縮するパンタグラフ式のジャッキ部材１８により、上下方向移動部材１９と連結されている。ジャッキ部材１８は、図５に示すように、くの字形に折れ曲がる４対のリンクアーム３３の端部を前後方向移動部材１６と上下方向移動部材１９に各々ピン３４で回動自在に連結するとともに、左右のリンクアーム３３の折曲部を丸棒状の連結体３５、３６で連結し、前後の連結体に高さ調整螺子１７を貫通して設けたものである。高さ調節螺子１７は、先端側が後側の連結体３５に止め輪３７とナット３８により空回りする状態で保持されており、根元側が前側の連結体３６に螺合しており、高さ調整螺子１７を前方からドライバーで回すと、ジャッキ部材１８が上下に伸縮し、上下方向移動部材１９が前後方向移動部材１６に対して上下に移動する。なお、螺子の先端に螺着したナット３８は緩み止めがされており、螺子と一緒に回転するので、ナット３８をレンチ等で回してもジャッキ部材の操作が可能である。
【００１２】
上下方向移動部材１９の下面側には、躯体開口部下縁部２０に当接する当接部材２１を連結して設けてある。連結部の構造は図５に示すように、当接部材２１に設けたスリットの入ったキノコ形の突起３９を、上下方向移動部材１９に空けた穴４０に挿通・係止させたもので、穴の径が下にいくにつれて広いテーパー穴となっていることと、上下方向移動部材１９と当接部材２１が当接する面が、互いに若干球面状となっていることにより、当接部材２１は任意の向きに１５度前後傾くようになっている。したがって、図１に示すように躯体開口部下縁部２０が傾斜する場合であっても、当接部材２１がその傾斜を吸収し、サッシ枠４１を難なく鉛直に立設することができる。
【００１３】
また上下方向移動部材１９は、左右方向に伸縮するパンタグラフ式のジャッキ部材２３により、躯体開口部側縁部１１に当接する左右方向移動部材２４と連結されている。ジャッキ部材２３は先に述べた高さ調整用のジャッキ部材１８と同じ構造のものを横にしたものであり、このジャッキ部材２３の横調整螺子２２を回すことで、図３に示すように上下方向移動部材１９と左右方向移動部材２４の間隔が変わり、サッシ枠４１を左右方向に移動できる。
【００１４】
続いて、上枠用治具２の構造について図６から図８に即して説明する。上枠用治具２は、サッシ上枠１の外周側に係脱自在となったベース部材６と、ベース部材の前後方向のガイド溝４８に案内して設けた前後方向移動部材８と、左右方向に伸縮するジャッキ部材１０により前後方向移動部材７に連結され且つ躯体開口部側縁部１１に当接する左右方向移動部材１２とから構成されている。ベース部材６には、下枠用のものと同じように、サッシ上枠１の室外側の鉤状部４２に係止するストッパー４３と、一端部にサッシ上枠室内側の鉤状部４４に係止自在な爪部４５を有し、他端部が前方に向けて突出する操作部４６となった回動自在なレバーハンドル５を有している。前後方向移動部材８は、下枠用のものと同じ構造により、前後調整螺子７を回すことで前後にスライドする。また、ジャッキ部材１０の構造も下枠用のものと同じであり、前後方向に設けた横調整螺子９の操作により左右方向移動部材１２が左右に移動する。
【００１５】
以上に述べた本発明のサッシ枠取付位置調整装置の使用方法について簡単に説明すると、サッシ枠４１に上枠用治具２と下枠用治具４を各々所定の位置に取り付けた後、サッシ枠４１を躯体開口部４７の内側に持っていって、各治具の左右方向移動部材１２、２４を移動させて躯体開口部側縁部１１に当接させることにより、図９に示すようにサッシ枠４１を躯体開口部４７に突っ張った状態で保持させる。その後、各治具に備える前後調整螺子７，１５、高さ調整螺子１７、横調整螺子９，２２を前側からドライバーで操作することにより、サッシ枠４１の正確な位置決めを行う。位置決めが完了すれば、躯体開口部４７に設けてあるアンカー部材にサッシ枠の取付金具を溶接するなどしてサッシ枠４１を固定する。その後、レバーハンドル５，１３を操作して各治具２，２，４，４をサッシ枠から取り外し、躯体開口部４７とサッシ枠４１の間にモルタルを詰め込めば、サッシ枠の取り付け作業が終了する。
【００１６】
本発明のサッシ枠取付位置調整装置は、ここに示した実施形態に限定されない。例えばレバーハンドルの形態は、対象とするサッシ枠に合わせて適宜設計すれば良い。また実施形態には、サッシ枠の位置の調整を室内側から行う場合について記載してあるが、上枠用治具と下枠用治具を前後逆にしてサッシ枠に取り付ければ、室外側から位置調整を行うこともできる。
【００１７】
【発明の効果】
本発明のサッシ枠取付位置調整装置は、前後方向から操作自在なレバーハンドルによりサッシ枠に対する着脱が容易となり、調整用の螺子を全て前後方向から操作自在としたことにより、サッシ枠の取付位置の調整を能率良く正確に行なえるようになった。さらに、下枠用治具に設けた当接部材の躯体開口部下縁部との当接角度が変更自在であることから、躯体開口部下縁部が傾斜する場合であっても、その傾斜を吸収してサッシ枠を鉛直に立設可能であり、多様なケースで使用できる。また、躯体開口部に何ら細工をする必要が無いし、何度でも繰り返し使用できるので経済的である。
【図面の簡単な説明】
【図１】下枠用治具の使用状態を示す側面図である。
【図２】下枠用治具の正面図である。
【図３】下枠用治具の平面図である。
【図４】図２におけるＡ−Ａ断面図である。
【図５】図２におけるＢ−Ｂ断面図である。
【図６】上枠用治具の正面図である。
【図７】上枠用治具の側面図である。
【図８】上枠用治具の平面図である。
【図９】本発明のサッシ枠取付位置調整装置を使用して、サッシ枠を躯体開口部の内側に保持させた状態を室内側から見た正面図である。
【図１０】従来のサッシ枠取付位置調整装置の一例を示す側面図である。
【符号の説明】
１  サッシ上枠
２  上枠用治具
３  サッシ下枠
４  下枠用治具
５  レバーハンドル（上枠用）
６  ベース部材（上枠用）
７  前後調整螺子（上枠用）
８  前後方向移動部材（上枠用）
９  横調整螺子（上枠用）
１０  ジャッキ部材（上枠用）
１１  躯体開口部側縁部
１２  左右方向移動部材（上枠用）
１３  レバーハンドル（下枠用）
１４  ベース部材（下枠用）
１５  前後調整螺子（下枠用）
１６  前後方向移動部材（下枠用）
１７  高さ調整螺子（下枠用）
１８  ジャッキ部材（高さ調整用）
１９  上下方向移動部材
２０  躯体開口部下縁部
２１  当接部材
２２  横調整螺子（下枠用）
２３  ジャッキ部材（下枠横調整用）
２４  左右方向移動部材（下枠用）
４１  サッシ枠
４７  躯体開口部
【図１】
0003975766.tif 000002
【図２】
0003975766.tif 000003
【図３】
0003975766.tif 000004
【図４】
0003975766.tif 000005
【図５】
0003975766.tif 000006
【図６】
0003975766.tif 000007
【図７】
0003975766.tif 000008
【図８】
0003975766.tif 000009
【図９】
0003975766.tif 000010
【図１０】
0003975766.tif 000011